(57)【要約】【課題】  一回のプリントで、Ａ４横記載をＡ４縦記載上に任意縮小・任意角度・任意位置移動記載でき、印刷済紙所定記載指示通り記載できる、単機器Ａ４判複合プリンタ−にすること。【解決手段】  単機器Ａ４判複合プリンタ−内のスティックスイッチコントロ−ル情報指示に、縦長Ａ４ワクを描き・横長さを直径とした円を中央に描き・Ａ４ワクの上下中央から縦線を円の外側まで描き・中央から右真横に横線を描いた縮小図形を任意縮小拡大・５度きざみに３６０度・任意上下左右移動できる情報指示とした情報デスプレイのレイアウト通りに、一回でプリントでき、横長Ａ４透明シ−トの中心点を通る十字線と、それを起線とした上下１Ｃｍ間隔横線・左右２Ｃｍ間隔縦線と、中心点からの１Ｃｍ間隔の同心円を直角４当分角度毎に１０度きざみの点線とし、この線をＡ４透明シートに薄青色表示線で記載して、スキャナ−部に乗せる事ができるようにした、単機器Ａ４判複合プリンタ−にする。【選択図】図１
2008042863.tif 000002
【特許請求の範囲】
【請求項１】
横長Ａ４透明シ−ト（１）の中心点を通る薄青色十字線（２）と、それを起線とした上下１Ｃｍ間隔薄青色横線（３）・左右２Ｃｍ間隔薄青色縦線（４）と、中心点からの１Ｃｍ間隔の同心円上の３５０度〜１０度・２０度〜３０度・４０度〜５０度・６０度〜７０度・８０度〜１００度・１１０度〜１２０度・１３０度〜１４０度・１５０度〜１６０度・１７０度〜１９０度・２００度〜２１０度・２２０度〜２３０度・２４０度〜２５０度・２６０度〜２８０度・２９０度〜３００度・３１０度〜３２０度・３３０度〜３４０度に薄青色同心円点線（５）を記載したＡ４透明シ−ト装置。
【請求項２】
Ａ４判複合プリンタ−（６）の縮小拡大起点（７）をＡ４スキャナ−部（８）の中央とし、Ａ４スキャナ−部（８）に請求項１記載のＡ４透明シ−ト装置を乗せる事ができ、情報デスプレイ（９）には、縦長Ａ４ワクを描き・横長さを直径とした円を中央に描き・Ａ４ワクの上下中央から縦線を円の外側まで描き・中央から右真横に横線を描いた縮小図形（１０）を任意縮小拡大・５度きざみに３６０度・任意上下左右移動できる情報指示とし、その情報指示操作をする、押す縮小・引く拡大・縮小図形（１０）記載の回転ノブ付上下左右移動スティックスイッチ（１１）を手前上右部傾斜カット形状して搭載し、その情報デスプレイ（９）に出される縮小図形（１０）のレイアウト通りにプリントできるようにした、単機器Ａ４判複合プリンタ−装置。
【発明の詳細な説明】
【発明の詳細な説明】
【技術分野】
【０００１】  本発明は、Ａ４横記載をＡ４縦記載上に任意縮小・任意角度・任意位置移動記載でき、印刷済紙所定記載指示通り記載できる、単機器Ａ４判複合プリンタ−装置に関する。
【背景技術】
【０００２】  従来のＡ４判複合プリンタ−装置においては、Ａ４横記載紙をＡ４縦紙に任意角度で任意縮小拡大して、任意位置移動記載プリントできず、印刷済紙所定記載指示においては、所定場所へのプリントはできなかった。
【発明が解決しようとする課題】
【０００３】  従来のＡ４判複合プリンタ−装置において、任意角度任意縮小拡大して、任意位置移動記載プリントするのは、任意縮小拡大プリントをした後、そのプリント紙での任意角度・任意位置決めプリントであるので、一回レイアウトプリントはできない問題点と、印刷済紙所定記載指示通り記載できない問題点があった。
【課題を解決するための手段】
【０００４】  上記の問題点を解決するために、本発明は、Ａ４スキャナ−部の中央に、縮小拡大起点を設置し、その起点・位置・角度が目視でき、縮小拡大・角度・位置のレイアウトを縮小図形で目視してからプリントすることができる。
【発明を実施するための最良の形態】
【０００５】  本発明は、手前上右部傾斜カット形状して搭載したスティックスイッチコントロ−ル情報指示に、縦長Ａ４ワクを描き・横長さを直径とした円を中央に描き・Ａ４ワクの上下中央から縦線を円の外側まで描き・中央から右真横に横線を描いた縮小図形を回転ノブに記載すると共に、縮小図形を任意縮小拡大・５度きざみに３６０度・任意上下左右移動できる情報指示とした情報デスプレイのレイアウト通りに、単機器Ａ４判複合プリンタ−でプリントでき、Ａ４透明シ−トの中心点を通る十字線と、それを起線とした上下２Ｃｍ間隔横線・左右１Ｃｍ間隔縦線と、中心点からの１Ｃｍ間隔の同心円を直角４当分角度毎に１０度きざみの点線とし、この線をＡ４透明シ−トに薄青色表示線で記載して、スキャナ−部に乗せる事ができるようにしたものである。
【実施例】
【０００６】  横長Ａ４透明シ−ト（１）の中心点を通る薄青色十字線（２）と、それを起線とした上下１Ｃｍ間隔薄青色横線（３）・左右２Ｃｍ間隔薄青色縦線（４）と、中心点からの１Ｃｍ間隔の同心円上の３５０度〜１０度・２０度〜３０度・４０度〜５０度・６０度〜７０度・８０度〜１００度・１１０度〜１２０度・１３０度〜１４０度・１５０度〜１６０度・１７０度〜１９０度・２００度〜２１０度・２２０度〜２３０度・２４０度〜２５０度・２６０度〜２８０度・２９０度〜３００度・３１０度〜３２０度・３３０度〜３４０度に薄青色同心円点線（５）を記載したＡ４透明シ−トにして行く。【０００７】  Ａ４判複合プリンタ−（６）の縮小拡大起点（７）をＡ４スキャナ−部（８）の中央とし、Ａ４スキャナ−部（８）に請求項１記載のＡ４透明シ−ト装置を乗せる事ができ、情報デスプレイ（９）には、縦長Ａ４ワクを描き・横長さを直径とした円を中央に描き・Ａ４ワクの上下中央から縦線を円の外側まで描き・中央から右真横に横線を描いた縮小図形（１０）を任意縮小拡大・５度きざみに３６０度・任意上下左右移動できる情報指示とし、その情報指示操作をする、押す縮小・引く拡大・縮小図形（１０）記載の回転ノブ付上下左右移動スティックスイッチ（１１）を手前上右部傾斜カット形状して搭載し、その情報デスプレイ（９）に出される縮小図形（１０）のレイアウト通りにプリントできるようにした、単機器Ａ４判複合プリンタ−にして行く。
【発明の効果】
【０００８】  本発明は、以上説明したような形態で実施され、以下に記載されるような効果を奏する。
【０００９】  請求項１記載のＡ４透明シ−トの薄青色中央表記は、Ａ４判複合プリンタ−（６）の縮小拡大起点（７）をＡ４スキャナ−部（８）の中央とした事により、Ａ４スキャナ−部（８）に、請求項１記載のＡ４透明シ−トを乗せた時点で、縮小拡大起点（７）と一致させる事が可能である。
【００１０】  請求項１記載のＡ４透明シ−トの薄青色中央表記が、縮小拡大起点（７）と一致している事と、横長Ａ４透明シ−トの中心点を通る十字線と、それを起線とした上下１Ｃｍ間隔横線・左右２Ｃｍ間隔縦線と、中心点からの１Ｃｍ間隔の同心円を直角４当分角度毎に１０度きざみの点線としてある事により、Ａ４より小さい用紙をＡ４スキャナ−部（８）の中央に設置する事が可能である。
【００１１】  横長Ａ４透明シ−トの薄青色表記に、十字線を起線とした上下１Ｃｍ間隔横線・左右２Ｃｍ間隔縦線が有る事により、印刷済紙に、このＡ４透明シートを一度あてがうだけで、印刷済紙所定記載位置を、計測する事が可能である事と、住所・氏名記載透明薄シ−トを、このＡ４透明シ−トの薄青色表記を使って、印刷済紙所定記載位置に一致させる事が可能である事で、印刷済紙所定記載指示通りの記載が可能である。
【００１２】  横長Ａ４透明シ−トの中心点からの１Ｃｍ間隔の同心円を直角４当分角度毎に１０度きざみの点線は角度認識の他に、中心点を通る十字線を起線とした上下１Ｃｍ間隔横線・左右２Ｃｍ間隔縦線の内から、中心点を通る十字線を、識別する事が可能である。
【００１３】  スティックスイッチ（１１）を手前上右部傾斜カット形状して搭載した事により、収納機構を取付けなくても、突出回避と成るのと、縦長Ａ４ワクを描き・横長さを直径とした円を中央に描き・Ａ４ワクの上下中央から縦線を円の外側まで描き・中央から右真横に横線を描いた縮小図形（１０）を情報デスプレイ（９）と回転ノブに描いた事により、情報デスプレイでは現在状況把握が可能に成り、回転ノブにおいては、回転ノブだけで現在回転状況を把握する事が可能である。
【００１４】  Ａ４判複合プリンタ−（６）の縮小拡大起点（７）をＡ４スキャナ−部（８）の中央とした事により、Ａ４判以下の、どの用紙を使用しても、縮小拡大起点を一点にさせる事が可能である事で、情報デスプレイ・プリントの縮小拡大指示による縮小拡大起点位置ずれ計算を省く事が可能である。
【００１５】  Ａ４スキャナ−部（８）にＡ４透明シ−ト（１）を乗せるようにした事により、平らでない用紙を押え位置確認してからの、プリンタ−ふた閉め動作なので、用紙ずれを起こさない事が可能である。
【図面の簡単な説明】
【図１】  請求項２記載のコントロ−ル情報指示のためのスティックスイッチ（１１）・情報デスプレイ（９）を装備し、請求項１記載のＡ４透明シ−ト装置を、Ａ４スキャナ−部（８）に乗せ、プリンタ−ふたは脱離状態のＡ４判複合プリンタ−（６）の縮小平面図である。
【図２】  プリンタ−ふたは脱離状態のＡ４判複合プリンタ−（６）の縮小右側面図である。
【図３】  請求項２記載の縦長Ａ４ワクを描き・横長さを直径とした円を中央に描き・Ａ４ワクの上下中央から縦線を円の外側まで描き・中央から右真横に横線を描いた縮小図形（１０）を５０％縮小し、９０度回転し、左下角に移動した時の情報デスプレイ（９）の平面図である。
【符号の説明】
１    Ａ４透明シ−ト
２    薄青色十字線
３    上下１Ｃｍ間隔薄青色横線
４    左右２Ｃｍ間隔薄青色縦線
５    薄青色同心円点線
６    Ａ４判複合プリンタ−
７    縮小拡大起点
８    Ａ４スキャナ−部
９    情報デスプレイ
１０  縮小図形
１１  スティックスイッチ
【図１】
2008042863.tif 000003
【図２】
2008042863.tif 000004
【図３】
2008042863.tif 000005